(57)【要約】【課題】  天空率算定にあたり十分なインフラが整っていない者にとっては、現状では天空率制度を活用できない状況である。そこで、本考案は、パソコンソフトや高価な測定機器によらず、天空率を算定する事ができるようにする事を課題とする。【解決手段】  上記課題を解決するために、「正射影方式」による天空図の上から、ドット状の算定図表を上から載せる事により天空率の算出を可能とする。  天空率ドット図において、天空率の算定をより正確にするためには、ドットの配置を目的に沿うよう配置する必要がある。そこで、同心円状に分割し、それぞれが等しい面積となるよう同心円を分割する方法を採用し、審査の利便性も考慮し１０００分割（１ドット０．１％）することとした。同心円の分割数は、中心に近いほうから順に、４、８、１２、１６、１６、２４、２４、３２、３２、４８、４８、６４、６４、６４、９６、９６、９６、１２８、１２８とした。【選択図】図１
0003103362.tif 000002
【実用新案登録請求の範囲】
【請求項１】
地上のある位置を中心としてその水平面上に半球を想定し、その半球に建築物及びその敷地の地盤を投影した投影面をさらに水平投影した「正射影方式」による天空図の上から、ドット状の算定図表を上から載せる事により天空率の算出を可能とする天空率ドット図。
【請求項２】
天空率ドット図において、天空率の算定をより正確にするためのドットの配置計画。
同心円の分割数を、中心に近いほうから順に、４、８、１２、１６、１６、２４、２４、３２、３２、４８、４８、６４、６４、６４、９６、９６、９６、１２８、１２８とするもの。
【考案の詳細な説明】
【技術分野】
【０００１】  本発明は、建築基準法第５６条７項に規定される「天空率」を簡便に算定するための技術に関するものである。
【背景技術】
【０００２】  従来、天空図算定図表には２種類のものが存在する。１つは、「「等距離射影方式」により描画された天空図の「天空率」を描画算定するもの」、もう１つは、「「正射影方式」により算定された天空図の「天空比」を算定するもの」である。しかし、平成１４年７月１２日に公布された改正建築基準法第５６条第７項では、「「正射影方式」により算定された天空図の「天空率」を算定するもの」が必要とされている。【０００３】  正射影方式により描画された天空図により天空率を算出するには、天空図の円の面積に対する、建物及び地盤部分が天空図に投影された面以外の部分の割合を算出すればよい。具体的には、天空率算定ソフトを用いる、出力された天空図をプラニメーター（図形測定器）により面積を算定する等の方法がある。しかし、法律を審査する側である特定行政庁や民間確認検査機関、申請者の側である設計者や申請者の中には、このようなパソコンソフトや機器を備えていないところも多いのが実情である。そのため、日影チャートによる日影チェックと同様に、審査側、申請者側共に簡便にチェックできる方法が求められている。
【考案の開示】
【考案が解決しようとしている課題】
【０００４】  天空率算定にあたりパソコンソフトや高価な測定機器等の十分なインフラが整っていない者にとっては、現状では天空率制度を活用できない状況である。そこで、本考案は、パソコンソフトや高価な測定機器によらず、天空率を算定する事ができるようにする事を課題とする。
【課題を解決するための手段】
【０００５】  上記課題を解決するために、地上のある位置を中心としてその水平面上に半球を想定し、その半球に建築物及びその敷地の地盤を投影した投影面をさらに水平投影した「正射影方式」による天空図の上から、ドット状の算定図表を上から載せる事により天空率の算出を可能とする。
【０００６】  天空率ドット図において、天空率の算定をより正確にするためには、ドットの配置を目的に沿うよう配置する必要がある。そこで、同心円状に分割し、さらに等しい面積となるよう同心円を分割する方法を採用し、審査の利便性も考慮し１０００分割（１ドット０１％）することとした。同心円の分割数は、中心に近いほうから順に、４、８、１２、１６、１６、２４、２４、３２、３２、４８、４８、６４、６４、６４、９６、９６、９６、１２８、１２８としている。
【考案の効果】
【０００７】  本発明の天空率ドット図は、正射影方式での天空率の算出を、パソコンソフトやプラニメーターといった機器等による比較的高額なものを使うことなく、天空図上の天空部分のドットを数えることにより算出を可能とするものである。これにより、平成１４年度の改正建築基準法において導入された、天空率規制の活用が一層容易になる。なお、従来の算定図表には、正射影方式により出力された天空図の天空率を算定するためのものはない。
【考案を実施するための最良の形態】
【０００８】  本考案による天空率ドット図を広く一般の利用に供するために最良の方法を以下に記す。天空率規制は、まだ一般に周知されたものとは言い難い状況であることも考慮し、当規制の解説本を出版し、その付録等としてドット図を掲載する、又は、インターネットのホームページ等にＰＤＦ形式等によりダウンロード可能とするシステムを構築する、などが最良の形態と考えられる。
【図面の簡単な説明】
【０００９】
【図１】本考案による天空率算定用ドット図（正射影方式により天空率を測定）である。
【図２】円をなるべく整形な形で同心円状に、かつ均等な面積で１０００分割した図である。
【図３】従来の算定図表１（等距離射影方式による天空率を測定）である。
【図４】従来の算定図表２（正射影方式による天空比を測定）である。
【図１】
0003103362.tif 000003
【図２】
0003103362.tif 000004
【図３】
0003103362.tif 000005
【図４】
0003103362.tif 000006
【手続補正書】
【提出日】平成16年1月15日(2004.1.15)
【手続補正１】
【補正対象書類名】実用新案登録請求の範囲
【補正対象項目名】請求項１
【補正方法】変更
【補正の内容】
【請求項１】
地上のある位置を中心としてその水平面上に半球を想定し、その半球に建築物及びその敷地の地盤を投影した投影面をさらに水平投影した「正射影方式」による天空図の上から重ねる事により天空率の算出を可能とすることを目的とし、透明なフィルム状に印刷した天空率（正射影）算定用透明シート。
【手続補正２】
【補正対象書類名】実用新案登録請求の範囲
【補正対象項目名】請求項２
【補正方法】削除
【補正の内容】
【手続補正４】
【補正対象書類名】明細書
【補正対象項目名】０００１
【補正方法】変更
【補正の内容】
【０００１】本考案は、建築基準法第５６条７項に規定される「天空率」を簡便に算定するための算定図表に関するものである。
【手続補正５】
【補正対象書類名】明細書
【補正対象項目名】０００５
【補正方法】変更
【補正の内容】
【０００５】上記課題を解決するために、地上のある位置を中心としてその水平面上に半球を想定し、その半球に建築物及びその敷地の地盤を投影した投影面をさらに水平投影した「正射影方式」による天空図の上から、ドット状の算定図表を上から重ねる事により天空率の算出を可能とする。
【手続補正６】
【補正対象書類名】明細書
【補正対象項目名】０００８
【補正方法】変更
【補正の内容】
【０００８】本考案による天空率算定用透明シートを広く一般の利用に供するために最良の方法を以下に記す。天空率規制は、まだ一般に周知されたものとは言い難い状況であることも考慮し、当規制の解説本を出版し、その付録等として透明シートを掲載する、又は、インターネットのホームページ等にＰＤＦ形式等によりダウンロード可能とするシステムを構築する等の手段を介して、ユーザーがＯＨＰフィルム等に印刷し使用する、などが最良の形態と考えられる。
【手続補正７】
【補正対象書類名】明細書
【補正対象項目名】０００９
【補正方法】変更
【補正の内容】
【０００９】
【図１】本考案による天空率算定用透明シート（正射影方式により天空率を測定）である。
【図２】天空率算定用透明シートを作成する前段として、円をなるべく整形な形で同心円状に、かつ均等な面積で１０００分割した図である。
【図３】従来の算定図表１（等距離射影方式による天空率を測定）である。
【図４】従来の算定図表２（正射影方式による天空比を測定）である。
【図５】天空率算定用透明シートの使用例を示したものである。透明シートを天空図の上から重ね、建物にかかっていない部分（天空部分）のドット数を数えることにより、天空率を求めることができる。
【手続補正８】
【補正対象書類名】図面
【補正対象項目名】図１
【補正方法】変更
【補正の内容】
【図１】
0003103362.tif 000007
【手続補正９】
【補正対象書類名】図面
【補正対象項目名】図５
【補正方法】追加
【補正の内容】
【図５】
0003103362.tif 000008
【手続補正書】
【提出日】平成16年4月9日(2004.4.9)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
地上のある位置を中心としてその水平面上に半球を想定し、その半球に建築物及びその敷地の地盤を投影した投影面をさらに水平投影した「正射影方式」による天空図の上から重ねる事により天空率の算出を可能とすることを目的とし、透明なフィルム状に印刷した天空率（正射影）算定用透明シート。
【手続補正２】
【補正対象書類名】手続補正書
【補正対象項目名】手続補正２
【補正方法】削除
【補正の内容】